(57)【要約】  本発明は、風車のタワーセクション（１１０）のためのターポリン装置（１００）に関する。ターポリン装置（１００）は調節可能な開口（２０５）を有している。ターポリン装置（１００）における調節可能な開口（２０５）の位置及び／又は寸法は、タワーセクション（１１０）の機能エレメント（１０１）に合わせて調節可能である。
2011521155.tif 000002
【特許請求の範囲】
【請求項１】
風車のタワーセクション（１１０）のためのターポリン装置において、該ターポリン装置が調節可能な開口（２０５）を有しており、
ターポリン装置（１００）における調節可能な開口の位置及び／又は寸法が、タワーセクション（１１０）の機能エレメント（１０１）に合わせて調節可能であることを特徴とする、風車のタワーセクションのためのターポリン装置。
【請求項２】
調節可能な開口（２０５）が、ターポリン装置（１００）における裂開セクション（２０１）によって提供されており、
裂開セクション（２０１）の長さが調節可能である、請求項１記載のターポリン装置。
【請求項３】
調節可能な開口（２０５）を開閉させるためのフラップエレメント（２０２）が設けられている、請求項１又は２記載のターポリン装置。
【請求項４】
フラップエレメント（２０２）がサブフラップエレメント（２０３）を有しており、
サブフラップエレメント（２０３）が、フラップエレメント（２０２）又はターポリン装置（１００）にフレキシブルに結合可能である、請求項３記載のターポリン装置。
【請求項５】
フラップエレメント（２０２）が、ターポリン装置（１００）に取外し可能に固定されている、請求項３又は４記載のターポリン装置。
【請求項６】
調節可能な開口（２０５）を調節可能に開閉させるためのベルクロ（登録商標）エレメント（２０４）を有している、請求項１から５までにいずれか１項記載のターポリン装置。
【請求項７】
調節可能な開口（２０５）を調節可能に開閉させるためのジッパーエレメントを有している、請求項１から６までのいずれか１項記載のターポリン装置。
【請求項８】
調節可能な開口（２０５）を調節可能に開閉させるためのボタン留めエレメントを有している、請求項１から７までのいずれか１項記載のターポリン装置。
【請求項９】
調節可能な開口（２０５）の周囲に少なくとも部分的に配置された補強されたセクションを有する、請求項１から８までのいずれか１項記載のターポリン装置。
【請求項１０】
複数の調節可能な開口（２０５）が設けられている、請求項１から９までのいずれか１項記載のターポリン装置。
【請求項１１】
ターポリン装置（１００）をタワーセクション（１１０）に結合するための結合エレメントが設けられている、請求項１から１０までのいずれか１項記載のターポリン装置。
【請求項１２】
ターポリン装置（１００）を風車のタワーセクション（１１０）に固定する方法において、
ターポリン装置（１００）における調節可能な開口の位置及び寸法をタワーセクション（１１０）の機能エレメントに合わせて調節することを特徴とする、ターポリン装置を風車のタワーセクションに固定する方法。
【請求項１３】
ターポリン装置（１００）を風車のタワーセクション（１１０）に取り付け、
機能エレメント（１０１）をタワーセクション（１１０）に調節可能な開口の領域において取り付ける、請求項１２記載の方法。
【発明の詳細な説明】
【技術分野】
【０００１】
本発明は、風車のタワーセクションのためのターポリン装置に関する。さらに、本発明は、ターポリン装置を風車のタワーセクションに固定する方法に関する。
【０００２】
背景技術
風車のタワーセクションの輸送中には、タワーセクションの内部を汚れ及び濡れから保護しかつ腐食を防ぐために、タワーセクションは概して両端部においてターポリンによって被覆される。ターポリンはそれぞれのタワーセクションに取り付けられる。タワーセクションが輸送ブラケットに取り付けられている時には、ターポリンは、輸送ブラケットへのタワーセクションのアクセス性を保証するために、輸送ブラケットの領域に穴を切断することによって輸送ブラケットに取り付けられなければならない。ターポリンに切断される穴の寸法は、船舶、レール車両又はトラック等の個々の輸送手段のために構成された使用される輸送ブラケットに応じて異なる。さらに、ターポリンにおける切り取りの寸法は、ブラケットを一つの位置から他方の位置へ持ち上げるための持上げ器具に合わせなければならない。
【０００３】
発明の概要
本発明の課題は、風車のタワーセクションのための適切なターポリン装置を提供することである。
【０００４】
この課題は、独立請求項の主体による、風車のタワーセクションのためのターポリン装置によって、及びターポリン装置を風車のタワーセクションに固定する方法によって解決される。
【０００５】
本発明の第１の典型的な実施形態によれば、風車のタワーセクションのためのターポリン装置が提供される。ターポリン装置は調節可能な開口を有しており、ターポリン装置における調節可能な開口の位置及び／又は寸法は、タワーセクションの機能エレメントに合わせて調節可能である。
【０００６】
本発明の典型的な実施形態によれば、ターポリン装置を風車のタワーセクションに固定する方法が提供される。ターポリン装置における調節可能な開口の位置及び寸法は、タワーセクションの機能エレメントに合わせて調節可能である。
【０００７】
「機能エレメント」とは、取付けブラケット又は持上げ機構等の、タワーセクションに結合された付加的なエレメントをいう。機能エレメントは、タワーセクションに取外し可能に結合されるか、タワーセクション自体の一部であってよい。さらに、機能エレメントは、タワーセクションの表面又はタワーセクションの内側等の、ターポリン装置の内側から、輸送列車又は輸送手段の固定エレメント等の他の輸送機構と機能的に接触するために、ターポリン装置の外側へ延びている。
【０００８】
「ターポリン装置」とは、タワーセクションの開放端部を被覆しかつ例えばタワーセクションの縁部に固定される、保護フォイル又はその他のフレキシブルな材料をいう。
【０００９】
「調節可能な開口」とは、機能エレメントが貫通するターポリン装置の開口をいう。
【００１０】
従来のターポリンにおいては、切断穴は鋭いエレメントによってターポリン装置に切断され、切断穴は、不均一で、定まらない長さである。さらに、切断穴は、しばしば必要以上に大きく形成される。さらに、ターポリンを切断する場合、ターポリンはこれにより、他の輸送装置又は他のタワーセクションのために再び使用することができない。さらに、切断穴は、輸送中に風によってさらに大きく引き裂かれる恐れがある。輸送中に穴がさらに大きく切断されると、汚れがタワーセクションにますます進入し、タワーセクションが現場において使用される前に、タワーセクションのクリーニングが要求される。
【００１１】
機能エレメントへのアクセスを提供する必要がある、調節可能な開口を備えたターポリン装置を使用することによって、調節可能な開口は、様々な異なる寸法の機能エレメントに対してより正確に調節される。従って、調節可能な開口と機能エレメントとの間のスペースが減じられ、汚れの進入が阻止される。さらに、調節可能な開口がタワーセクションの内側をシールする場合、空気流による風力は開口に進入しない。なぜならば、空気流はタワーセクションの周囲に案内されるからである。従って、空気流によるターポリン装置のばたつきが生じず、ターポリン装置の損傷のリスクが減じられる。さらに、調節可能な開口を提供する場合、調節可能な機構の縁部は、ターポリン装置における定まらない切断部と比較して選択的に補強される。従って、より正確でかつ維持可能な調節可能な開口が提供される。
【００１２】
別の典型的な実施形態によれば、調節可能な開口は、ターポリン装置における裂開セクションによって提供される。したがって、裂開セクションの長さは調節可能である。裂開セクションを提供することにより、裂開のサイズ、すなわち最大長さは、予め規定される。ターポリン装置に切込みを切断するのとは対照的に、風力による応力等の応力がターポリン装置に加えられると、切断長さは増大しない。予め規定された裂開セクションを使用する場合、裂開セクションの端部は、応力による裂開セクションの意図しない増大が回避されかつより安定したターポリン装置が提供されるように、選択的に補強される。
【００１３】
別の典型的な実施形態によれば、ターポリン装置はさらに、調節可能な開口を開閉させるためのフラップエレメントを有している。フラップエレメントを使用することにより、調節可能な開口は必要とされるときに開放させられる。調節可能な開口が必要とされない時には、調節可能な開口はフラップエレメントにより閉鎖される。従って、ターポリン装置は、様々な異なる形状の機能エレメントのための複数の調節可能な開口を有しており、利用されている調節可能な開口のみ、つまり機能エレメントが貫通する開口のみが、フラップエレメントによって調節可能に開放される。従って、ターポリン装置は、タワーセクションの内部に汚れが進入する意図しない開口を提供することなく、複数の異なる形状のタワーセクション及び／又は機能エレメントに合わせて調節される。従って、汚れの進入のリスクを高めることなくフレキシビリティが提供される。
【００１４】
別の典型的な実施形態によれば、フラップエレメントはサブフラップエレメントを有している。サブフラップエレメントは、フラップエレメント又はターポリンエレメントにフレキシブルに結合可能である。フラップエレメントをさらにサブフラップエレメントに付加的に分割することにより、様々な異なる形状の調節可能な開口の所望のパターンが提供される。それぞれのサブフラップエレメントのストリップラインは、様々な異なる方向に延びており、これにより、様々な異なる形状のサブフラップエレメントの個々のパターンを生ぜしめる。それぞれのサブフラップエレメントは個々に取外し可能であるので、フラップエレメント又はサブフラップエレメントによって被覆された調節可能な開口の形状は、機能エレメントに個々に合わせて調節される。従って、調節可能な開口のより高いフレキシビリティが提供される。
【００１５】
別の典型的な実施形態によれば、フラップエレメントはターポリン装置に取外し可能に固定されている。フラップエレメントは、１つの接触側においてターポリン装置に結合されており、フラップエレメントは、被覆された調節可能な開口が必要とされない時には、折り畳まれる。折り畳まれたフラップエレメントは、通常は固定されておらず、風力によってフラップエレメントはばたつき、損傷されたり、機能エレメント又はタワーセクションを損傷したりする。従って、フラップエレメントを取り外す時には、フラップエレメントのばたつきが回避され、フラップエレメントの損傷が減じられる。従って、フラップエレメントはターポリン装置に取外し可能に固定されている、すなわち、フラップエレメントの全ての結合フランジは、ターポリン装置に取外し可能に固定可能であり、いかなる取外し不能な結合も有さない。
【００１６】
別の典型的な実施形態によれば、ターポリン装置はさらに、調節可能な開口を調節可能に開閉させるためのベルクロ（登録商標）エレメントを有している。ベルクロエレメントを使用することにより、調節可能な開口のフレキシブルな開口が提供される。ベルクロエレメントは、裂開セクションを調節可能に開閉させるために又はフラップエレメントを開閉させるために使用される。さらに、ベルクロエレメントを使用することにより、機能エレメントの様々な異なる寸法に対する、調節可能なエレメントの極めて迅速な調節が提供され、これにより、ターポリン装置と機能エレメントとは容易に係合させられる。
【００１７】
別の典型的な実施形態によれば、ターポリン装置はさらに、調節可能な開口を調節可能に開閉させるためのジッパーエレメントを有している。さらに、別の典型的な実施形態によれば、ターポリン装置はさらに、調節可能な開口を調節可能に開閉させるためのボタン留めエレメントを有している。ジッパーエレメント又はボタン留めエレメントを開放させることにより、裂開セクション又はフラップエレメントの、より剛性であるがフレキシブルな結合が提供され、応力がターポリン装置に加えられた時に、調節可能な開口の意図しない開放が回避される。
【００１８】
別の典型的な実施形態によれば、ターポリン装置がさらに、調節可能な開口の周囲に少なくとも部分的に配置された補強セクションを有している。補強セクションは、例えばターポリン装置のより厚い材料セクションによって提供される。さらに、補強セクションは、ターポリン装置の材料よりも強い材料特性を有する別の材料を加えることによって提供される。従って、調節可能な開口は、破損にとって最も決定的な部分であるので、ターポリン装置全体の寿命が延長される。従って、決定的な位置、すなわちターポリン装置の調節可能な開口を補強する場合、ターポリン装置の全寿命が延長される。
【００１９】
ターポリン装置の別の典型的な実施形態によれば、複数の調節可能な開口が提供される。従って、輸送固定具又は取付けブラケット装置等の、様々な異なる機能エレメントの高いフレキシビリティが提供される。従って、ターポリン装置は、様々な異なるタワーセクションと、様々な異なる種類の機能エレメントとのために繰り返し使用される。
【００２０】
別の典型的な実施形態によれば、ターポリン装置をタワーセクションに結合するための結合エレメントが提供される。結合エレメントは、ターポリン装置におけるねじ山アイ又はタワーセクションにおける耳を含む。さらに、ターポリン装置は、縁部において結合ワイヤを有する。ターポリン装置の縁部は、タワーセクションのフランジ又は縁部に巻き付けられ、次いで、例えばロープを用いて固定される。さらに、ターポリン装置の結合エレメントは弾性材料から成り、これにより、ターポリン装置はタワーセクションに巻き付けられ、弾性材料が伸長してプレスばめ結合が提供される。
【００２１】
方法の別の典型的な実施形態によれば、ターポリン装置は、風車のタワーセクションに取り付けられ、機能エレメントは、調節可能な開口の領域においてタワーセクションに取り付けられる。従って、タワーセクションは、輸送のためのブラケット装置等の機能エレメントに取り付けられる前にまずターポリン装置によって被覆される。従って、輸送の前にタワーセクションを保管する場合、汚れ回避が提供される。実際には、タワーセクションを輸送する前に、タワーセクションはしばしば数週間又は数ヶ月保管される。この期間に、ターポリン装置は既に汚れに対する保護を提供する。タワーセクションが最終的に輸送される時、輸送ブラケット装置等の機能エレメントが、タワーセクションに固定される。従って、ターポリン装置の調節可能な開口は、調節可能に開放され、機能エレメントの長さ及び接触位置に合わせて調節させられる。
【００２２】
本発明によれば、調節可能な開口を備えるターポリンが提供され、調節可能な開口は、タワーセクションが例えば輸送ブラケット装置と持上げ器具とに取り付けられる領域に配置されている。調節可能な開口は、例えばベルクロ（登録商標）エレメントによって開閉される。従って、調節可能な開口は、タワーセクションに取り付けられるブラケット装置に対して極めて正確に調節される。本発明は、複数のフラップエレメントとサブフラップエレメントとによって被覆される複数の調節可能な開口をも有している。従って、ターポリンエレメントは、より正確な調節可能な開口を提供し、例えば開口は輸送中に風力によってさらに大きく引き裂かれないので、より安定している。さらに、例えば機能エレメントに対する調節可能な開口のより良い適合により、輸送後に必要なタワーセクションの内部のクリーニングはより少なくて済む。さらに、調節可能な開口を提供することにより、ターポリンは、他の輸送ユニット又は他のタワーセクションのために再利用されてもよい。
【００２３】
もちろん、種々異なる主体に関連する特徴のあらゆる組合せも可能であることが指摘されねばならない。
【００２４】
本発明の実施形態が種々異なる主体に関して説明された。特に、幾つかの実施形態は装置形式の請求項に関連して説明されたのに対し、他の実施形態は方法形式の請求項に関連して説明された。しかしながら、当業者は、上記説明及び以下の説明から、他の断りがない限り、一方の形式の主体に属する特徴のあらゆる組合せに加えて、互いに異なる主体に関する特徴のあらゆる組合せ、特に装置形式の請求項の特徴と方法形式の請求項の特徴とのあらゆる組合せも本出願によって開示されているものと考えられるべきであることを認識するであろう。
【００２５】
発明を以下に実施形態の例に関連してより詳細に説明するが、発明はこれらの実施形態に限定されない。
【図面の簡単な説明】
【００２６】
【図１】タワーセクションのための慣用のターポリンを示す図である。
【図２】本発明の典型的な実施形態によるターポリン装置の概略図である。
【００２７】
図面における表現は概略的である。異なる図面において、類似又は同一のエレメントには同じ参照符号又は最初の番号だけが対応する参照符号と異なる参照符号が付与されている。
【００２８】
図２は、本発明の典型的な実施形態を示している。風車のタワーセクション１１０のためのターポリン装置１００が提供されている。ターポリン装置１００は、調節可能な開口２０５を有している。ターポリン装置１００における調節可能な開口２０５の位置及び寸法は、タワーセクション１１０の機能エレメント１０１に合わせて調節可能である。
【００２９】
図１は、従来のターポリン装置１００を示している。ターポリン装置１００は、タワーセクション１１０の開放端部に被せられている。ターポリン装置１００を貫通して、機能エレメント１０１が延びている。機能エレメント１０１のための開口は、例えばナイフ等の鋭い工具によって切断されている。図１に示されているように、開口すなわちターポリン切断部１０２は、機能エレメント１０１に正確に合わせて調節されていない。従って、タワーセクション１１０の内部に汚れが入り込むスペースが提供されている。切断されたターポリン装置１００からさらに見られるように、ターポリン切断部１０２は、例えば風力によって意図せずに引き裂かれる場合がある。
【００３０】
図２は、本発明の典型的な実施形態を示している。ターポリン装置１００は、調節可能な開口２０５を提供する、裂開セクション２０１とフラップエレメント２０２とを有している。調節可能な開口２０５を通って、機能エレメント１０１が延びている。ターポリン装置１００の内部には、タワーセクション１１０が配置されている。裂開セクション２０１は、図２に閉じられた位置で典型的に示されている。裂開セクション２０１は、例えばベルクロ（登録商標）エレメント２０４によって閉鎖されている。ボタン留めエレメント又はジッパーエレメントが使用されてもよい。
【００３１】
さらに、図２は、複数のフラップエレメント２０２を示している。それぞれのフラップエレメント２０２は、例えばベルクロエレメント２０４によって、調節可能な開口２０５を開閉させる。複数のサブフラップエレメント２０３が、調節可能な開口２０５をフレキシブルに被覆しており、これにより、ターポリン装置１００は、様々な異なる形状の機能エレメント１０１に合わせて調節可能な開口２０５によって調節される。
【００３２】
図２に示されているように、機能エレメント１０１は、ターポリン装置１００を貫通して上方に延びた輸送エレメントから成り、これにより、例えばクレーンがタワーセクション１１０を持ち上げる。ターポリン装置１００のベースセクションには、フラップエレメント２０２、すなわちサブフラップエレメント２０３が個々に開放され、これにより、例えば取付けブラケットがタワーセクション１１０に結合される。さらに、図２は、ターポリン装置１００の閉鎖された位置におけるフラップエレメント２０２を示している。
【００３３】
「含む」とは、他のエレメント又はステップを排除せず、単数のものは、複数の態様を排除しない。種々異なる実施形態に関連して説明したエレメントは組み合わされてもよい。請求項に示された参照符号は、請求項の範囲を制限するものと解釈すべきではない。
【符号の説明】
【００３４】
１００  ターポリン装置
１０１  機能エレメント
１０２  ターポリン切断部
１１０  タワーセクション
２０１  裂開セクション
２０２  フラップエレメント
２０３  サブフラップエレメント
２０４  ベルクロエレメント
２０５  調節可能な開口
【図１】
2011521155.tif 000003
【図２】
2011521155.tif 000004
【国際調査報告】
2011521155.tif 000005
2011521155.tif 000006